(57)【要約】【課題】口部に封入される弾性体に対して、冠体を被着した際に、均一な押圧力を作用させる構成のスパウトを提供する。【解決手段】本発明のスパウト１は、弾性体３０が封入される内部空間Ｓを規定すると共に、収容物吸出し用の液路９に連通する口部１０と、この口部１０に被着され、内部空間に封入された弾性体３０に押圧力を付与する冠体５０とを備える。そして、口部１０に封入される弾性体３０は、口部１０の内部空間の高さ及び内径よりも大きい形状であり、冠体５０の内面には、冠体を口部に被着した際、全周に亘って口部に封入された弾性体３０を圧接するように、抽出方向に対して傾斜した傾斜面５５が形成されていることを特徴とする。【選択図】    図６
2006341914.tif 000002
【特許請求の範囲】
【請求項１】
弾性体が封入される内部空間を規定すると共に、収容物吸出し用の液路に連通する口部と、この口部に被着され、前記内部空間に封入された弾性体に押圧力を付与する冠体とを備えたスパウトにおいて、
前記口部に封入される弾性体は、前記口部の内部空間よりも大きい形状であり、前記冠体の内面には、冠体を口部に被着した際、全周に亘って口部に封入された弾性体を圧接するように、抽出方向に対して傾斜した傾斜面が形成されていることを特徴とするスパウト。
【請求項２】
前記傾斜面は湾曲していることを特徴とする請求項１に記載のスパウト。
【請求項３】
前記口部の内壁から底部にかけて、被着される前記冠体の傾斜面と略平行となる傾斜を有する傾斜面が形成されていることを特徴とする請求項１又は２に記載のスパウト。
【請求項４】
前記口部の開口縁には、被着される冠体に形成された前記傾斜面が面接するように、開口端に向けて薄肉厚化するテーパが形成されていることを特徴とする請求項１から３のいずれか１項に記載のスパウト。
【請求項５】
弾性体が封入される内部空間を規定すると共に、収容物吸出し用の液路に連通する口部と、この口部に被着され、前記内部空間に封入された弾性体に押圧力を付与する冠体とを備えたスパウトにおいて、
前記口部に封入される弾性体は、前記口部の内部空間の高さ及び内径よりも大きい形状であり、
前記冠体の内面及び口部の内面は、前記冠体を口部に被着した際、封入された弾性体の表面との間で隙間を生じさせること無く、表面全体に亘って圧接するように形成されていることを特徴とするスパウト。
【請求項６】
前記口部は、最大内径が１０ｍｍ以下、内部空間の最大高さが５ｍｍ以下であることを特徴とする請求項１から５のいずれか１項に記載のスパウト。
【請求項７】
前記冠体の頂部には、封入された弾性体によって変形可能な肉厚を有する薄肉厚部が形成されていることを特徴とする請求項１から６のいずれか１項に記載のスパウト。
【請求項８】
前記口部には、前記冠体を係止するための係止部が形成されており、前記冠体には、前記係止部を係合する係合部が形成されており、
前記係合部は、前記冠体の内面に周方向に沿って所定の角度に亘って突出形成されるフランジであり、このフランジの始点位置と終点位置は、軸方向にオフセットしていることを特徴とする請求項１から７のいずれか１項に記載のスパウト。
【請求項９】
前記口部には、前記冠体を係止するための係止部が形成されており、前記冠体には、前記係止部を係合する係合部が形成されており、
前記係合部は、前記冠体の内面又は外面に周方向に沿って所定間隔で突出形成される突部であることを特徴とする請求項１から７のいずれか１項に記載のスパウト。
【発明の詳細な説明】
【技術分野】
【０００１】
本発明は、例えば合成樹脂製の収容体の開口部を閉塞するように取着され、収容体に収容された収容物の出し入れに利用されるスパウトに関する。
【背景技術】
【０００２】
従来、合成樹脂シートのような比較的柔軟な材質で形成された収容体に、その内部の収容物を取り出すべく、スパウトを取着したスパウト付き収容体が知られている。このスパウトは、通常、合成樹脂等によって一体成型されており、上記した合成樹脂シート間に配置し、熱溶着することで挟着されている。このようなスパウト付き収容体は、様々な分野で用いられており、それに応じて、スパウトは多様な構成が開発されている。
【０００３】
例えば、スパウト付き収容体の使用態様として、スパウトの口部に吸出し用の針を刺し込んで収容物を抽出し、これを必要個所に供給するものがある。この場合、スパウトの口部には、収容物を封止すると共に、複数回の使用が可能となるように、針を刺し込む弾性体（ゴム）が封入されている。
【０００４】
ところで、このような構成では、弾性体は、針が刺し込まれる中心領域に向かって、かなり強い押圧力を有していなければならない。すなわち、この押圧力が弱いと、刺し込まれた針と弾性体との間に隙間が生じたり、或いは、針が引き抜かれた後に、その針の跡がそのまま残って通路が生じてしまい、内容物が漏れ出しやすくなってしまうからである。
【０００５】
このような問題を解決するために、特許文献１には、スパウトに、内部空間を有する口部を形成し、この口部に弾性体を封入すると共に、口部に対して冠体を被着することで弾性体に押圧力を付与するスパウトが開示されている。前記口部には、その開口縁と略同等の高さかそれよりも高さが低い弾性体を封入し、冠体を被着した際に、軸方向（連通孔方向）に沿った押圧力を作用させることで弾性体を径方向に広げ、これにより口部の内周面から押圧力を作用させるようになっている。また、冠体には、口部に容易に被着できるように、軸方向に沿って複数のスリットが形成されている。
【特許文献１】特許第２７０６６３２号
【発明の開示】
【発明が解決しようとする課題】
【０００６】
上記したようなスパウトに関しては、様々な分野で使用されるようになっており、それに伴って、全体的な大きさや収容体に対する取着方法等に関し、使用態様に適した構成となるように作成されている。
【０００７】
例えば、プリンタ等の分野においては装置の小型化に伴い、微細な抽出針を差し込んで収容物を少量づつ取り出すことが行なわれており、非常に小さいスパウト、具体的には、１０ｍｍ以下の内径で高さが５ｍｍ以下の円筒形状の口部を有するスパウトを用いることがある。上記した特許文献１に開示されている構成では、スパウト形状がある程度大きいものでれば、充分満足できる性能を発揮できるが、上記のように口部の形状が小さくなり過ぎると、封入される弾性体に対する押圧力が充分でなくなることが有り得る。
【０００８】
すなわち、冠体を被着した際に弾性体を軸方向方に押圧して口部の壁部の内面から押圧力を作用させる構成では、口部の小型化に伴って封入される弾性体が小さくなると、中心に向かう押圧力が充分に作用しないことが有り得る。特に、冠体のコーナ部分に向けて弾性体が広がったり、或いは、冠体に形成されたスリット部分から弾性体がはみ出る等、押圧力が弱くなる領域が生じることから、小さい弾性体では、抽出針を挿脱した際に、押圧力が弱い部分から収容物が滲み出ることが有り得る。
【０００９】
本発明は、上記した問題に基づいて成されたものであり、口部に封入される弾性体に対して、冠体を被着した際に、均一な押圧力を作用させる構成のスパウトを提供することを目的とする。
【課題を解決するための手段】
【００１０】
上記した目的を達成するために、本発明に係るスパウトは、弾性体が封入される内部空間を規定すると共に、収容物吸出し用の液路に連通する口部と、この口部に被着され、前記内部空間に封入された弾性体に押圧力を付与する冠体とを備えており、前記口部に封入される弾性体は、前記口部の内部空間よりも大きい形状であり、前記冠体の内面には、冠体を口部に被着した際、全周に亘って口部に封入された弾性体を圧接するように、抽出方向に対して傾斜した傾斜面が形成されていることを特徴とする。
【００１１】
上記した構成のスパウトでは、口部に封入される弾性体は、口部の内部空間の形状よりも大きいことから、冠体を被着した際に弾性体に圧接して作用する押圧力を大きくすることが可能となる。そして、冠体の内面に形成された抽出方向に対して傾斜した傾斜面は、冠体を口部に被着した際に、全周に亘って弾性体を圧接するため、冠体のコーナ部分に向けて弾性体が広がって押圧力が弱まることはない。すなわち、傾斜面によって、冠体の内面は、弾性体に対して全周に亘って圧接する（冠体に圧接部分を無くすようなスリット等は形成されない）と共に、この傾斜面によって、弾性体の中心側に向かう圧接力が直接作用することから、弾性体に対する押圧力が大きくなり、小さい弾性体を封入しても、抽出針を挿脱した際に収容物が滲み出ることが防止される。
【００１２】
なお、弾性体は、口部に封入した際、口部からはみ出る大きさであれば良く、例えば、円筒形状の口部に球状、或いは円柱状の弾性体を封入するのであれば、高さが高い形状であれば良い。そして、この場合、口部の内径よりも大きな弾性体にすることで、口部の内周面から作用する押圧力をより大きくすることができ好ましい。また、上記した傾斜面については、断面形状で直線状に構成されていても良いし、湾曲状に構成されていても良い。このように湾曲状に形成することで、冠体内面による圧接力を、中心方向の略一点に集中させることが可能となるため、より大きな圧接力を与えることが可能となる。
【００１３】
また、口部の内壁から底部にかけて、被着される冠体の傾斜面と略平行となる傾斜を有する傾斜面を形成しておくことが好ましい。
【００１４】
このように口部側にも傾斜面を形成しておくことにより、冠体を被着した際に弾性体に作用する圧接力の反作用力が効果的に生じるようになる。すなわち、弾性体には、効果的に中心方向に向かう均一な押圧力が作用するため、抽出針を挿脱した際の収容物の漏れがより効果的に防止される。
【００１５】
さらに、上記した口部の開口縁には、被着される冠体に形成された前記傾斜面が面接するように、開口端に向けて薄肉厚化するテーパを形成しておくことが好ましい。
【００１６】
このようなテーパを形成しておくことにより、口部と冠体との間に段部が生じることがなくなり、弾性体に対して、より効果的に押圧力を付与することが可能となる。
【００１７】
また、上記した目的を達成するために、本発明に係るスパウトは、弾性体が封入される内部空間を規定すると共に、収容物吸出し用の液路に連通する口部と、この口部に被着され、前記内部空間に封入された弾性体に押圧力を付与する冠体とを備えており、前記口部に封入される弾性体は、前記口部の内部空間の高さ及び内径よりも大きい形状であり、前記冠体の内面及び口部の内面は、前記冠体を口部に被着した際、封入された弾性体の表面との間で隙間を生じさせること無く、表面全体に亘って圧接するように形成されていることを特徴とする。
【００１８】
上記した構成のスパウトでは、口部に封入される弾性体は、口部の内部空間の形状よりも大きいことから、冠体を被着した際に弾性体に圧接して作用する押圧力を大きくすることが可能となる。また、前記冠体を口部に被着した際、封入された弾性体の表面との間に隙間が生じないことから、弾性体には、その表面から中心方向に向かう圧接力が作用することから、弾性体に対する押圧力が略均等となって、小さい弾性体を封入しても、抽出針を挿脱した際に収容物が滲み出ることが防止される。
【００１９】
なお、上述したようなスパウトの構成では、口部は、最大内径が１０ｍｍ以下、内部空間の最大高さが５ｍｍ以下に形成されているような小型のものであっても、効果的に収容物が滲み出ることを防止できる。
【発明の効果】
【００２０】
本発明によれば、口部に封入される弾性体に対して、冠体を被着した際に、均一な押圧力を作用させて収容物の漏れを効果的に防止することが可能なスパウトが得られる。
【発明を実施するための最良の形態】
【００２１】
以下、本発明の実施形態について、添付図面を参照して具体的に説明する。  
図１乃至図６は、本発明に係るスパウトの第１の実施形態を示す図であり、図１はスパウトの全体構成を示す斜視図、図２は本体の断面図、図３は本体の口部に被着される冠体を示す図であり、（ａ）は平面図、（ｂ）は図（ａ）のＡ−Ａ線に沿った断面図、図４は口部に弾性体を封入した状態と、弾性体を封入して冠体を被着した状態を示す断面図、図５は弾性体を封入する前と封入した後の形状変化を示す図、そして、図６は弾性体を封入した状態のスパウトの断面図である。
【００２２】
本実施形態に係るスパウト１は、本体５と、本体５の口部に封入されるゴム等の弾性体３０と、本体５に対して被着される冠体５０とを備えて構成されている。この場合、本体５や冠体５０は、樹脂等によって一体成型される。
【００２３】
前記本体５は、図示されていない対向するシート材が溶着される一対の溶着面６ａを具にした溶着部６と、溶着部６から上方に突出する円筒状の中間部８と、中間部８の上方において弾性体を封入する略円筒形状の口部１０とを備えている。前記溶着部６は、溶着面６ａにシート材を溶着し易いように、断面略舟型形状となるように形成されている（溶着面６ａの形状については、平坦面で形成したり、湾曲面で構成する等、適宜変形可能である）。
【００２４】
なお、前記対向するシート材は、溶着面６ａに溶着されると共に、それ以外の縁部を溶着することで、スパウト１が取着された袋状の収容体が形成され、この収容体に収容物である液体等を収容し、冠体５０の中央部分に抽出針（図示せず）を刺し込むことで、収容物が抽出される。
【００２５】
前記本体５の中央部分には、上下方向（抽出方向）に延びて収容体に収容された収容物を取り出すための連通孔（液路）９が形成されており、この連通孔９は、溶着部６から中間部８に亘って延出形成されている。すなわち、この連通孔９の部分に抽出用の針が刺し込まれ、吸引作用を受けることで収容物が取り出される。
【００２６】
前記中間部８の上方には、弾性体３０が封入される内部空間Ｓを規定する口部１０が形成されている。この口部１０は、前記中間部８の外径よりも大きい外径で上方が開口した略円筒形状を成しており、中間部８の外径よりも大径となる係止部１２を備えている。口部１０の底部１０ｂの中央領域には、前記連通孔９がそのまま開口するか、或いは、図に示すように、薄肉厚（０．５ｍｍ程度）の封止壁１３を介して連通孔９が位置するようになっている。
【００２７】
なお、口部１０の形状については特に限定されることはないが、後述する冠体が装着し易いように、本実施形態においては、円筒形状に構成されている。
【００２８】
口部１０の内部空間Ｓには、弾性体３０が封入される。この弾性体３０については、冠体５０が被着された際に、口部１０の内壁（内周壁）、及び被着される冠体５０の内面から押圧力が付与され、抽出針を挿脱しても、収容体内の収容物が漏れないように機能する。このため、弾性体３０は、口部１０の内部空間Ｓよりも大きい形状とされ、本実施形態の構成では、好ましくは口部の内部空間Ｓの高さＨ及び内径Ｄよりも大きい球形状とされている。すなわち、弾性体は、少なくとも高さが内部空間の高さよりも高いものであれば、冠体を被着した際に、その圧接力によって径方向に広がり、口部の内周壁から押圧力が作用するが、内径Ｄよりも大きい構成とすることで、冠体を被着する前から押圧力が作用することとなって好ましい。
【００２９】
具体的に、本実施形態においては、口部１０の内部空間Ｓの高さＨは３．６ｍｍ、内径Ｄは５．５ｍｍに設定されており、これに対して、直径が６ｍｍの球形状の弾性体３０が封入されるようになっている。
【００３０】
また、口部１０の内部空間に関し、その内周壁１０ａの中間から底部１０ｂにかけて、被着される冠体５０の後述する傾斜面と略平行となるような傾斜を有する傾斜面１５を形成しておくことが好ましい。さらに、口部１０の開口縁に、被着される冠体５０の傾斜面が面接するように、開口端に向けて薄肉厚化するテーパ１６を形成しておくことが好ましい。このような傾斜面１５、及びテーパ１６は、略円筒状の口部１０に対して、３６０°に亘って形成されている。
【００３１】
前記冠体５０は、封入される弾性体３０の一部が、押圧力が作用することで、外側に向けてはみ出ることの無いように、スリットや開口等を備えない円筒キャップ状に形成されており、口部１０に装着された際、口部１０の外周面と面接して口部全体を覆うように構成されている。冠体５０の周壁５０ａの内面下方には、所定間隔をおいて、中央に向けて突出する複数（１２０°間隔で３箇所、或いは９０°間隔で４箇所）の係合部５１が形成されており、冠体５０を口部１０に被着した際、その上面５１ａが口部１０に形成された係止部１２に係合して、ガタ付くことなく、かつ抜け止めされた状態で被着されるようになっている。このため、係合部５１の下面側には、口部１０の外周壁に嵌るまり込み易いようにテーパ５１ｂを形成しておくことが好ましい。
【００３２】
また、前記冠体５０の内面には、冠体５０を口部１０に被着した際に、全周に亘って口部に封入された弾性体３０を圧接するように、抽出方向Ｄ１に対して傾斜した傾斜面５５が形成されている。この傾斜面５５は、冠体５０の周壁５０ａの内面から上壁５０ｂの内面にかけて、３６０°に亘って形成されていると共に、その断面は直線状に形成されている。そして、この傾斜面５５は、図４に示すように、上記した口部１０の開口縁部分に形成されるテーパ１６と面接して、被着時において両者の間で段部を生じさせないようになっている。
【００３３】
具体的に、上記した構成の冠体５０は、高さｈが７．６ｍｍ、内径ｄが７ｍｍ、係合部５１の係止位置から上壁５０ｂまでの距離ｈ１が４．７ｍｍ、上壁５０ｂの径ｄ１が４ｍｍに設定されている。また、図に示すように、上壁５０ｂ部分には、封入された弾性体５０を押圧した際に、変形可能な薄肉厚部（厚さ０．３ｍｍ程度）５８を形成しておくことが好ましい。
【００３４】
上記した構成によれば、口部１０の内部空間Ｓに封入される球形の弾性体５０は、口部の内部空間の形状よりも大きいことから、口部１０の内周壁１０ａから、中心方向に向かう押圧力Ｐ１が作用する。そして、この状態で冠体５０を被着すると、冠体５０の傾斜面５５及び上壁５０ｂが、口部の開口から突出した状態にある弾性体３０を押圧した状態で係止され、これにより、弾性体３０には、傾斜面５５及び上壁５０ｂから、夫々中心側に向かう押圧力Ｐ２，Ｐ３が作用するようになる。この場合、弾性体３０には、冠体５０を被着したことによる前記押圧力Ｐ２，Ｐ３によって、口部に形成された傾斜面１５及び、底部１０ｂからも、中心側に向かう押圧力Ｐ２´，Ｐ３´が作用するようになる。
【００３５】
そして、上記したように押圧作用を受ける弾性体は、図５に示すように、口部１０の内部空間Ｓ、及び被着した冠体の内面に沿って変形するようになり、口部１０の内面、及び冠体の内面との間で隙間が生じないように弾性変形される。
【００３６】
このように、冠体５０の内面に、抽出方向に対して傾斜した傾斜面５５を形成しておくことにより、冠体５０を口部１０に被着した際に、全周に亘って弾性体３０を中心方向に向けて直接圧接するため、従来のように、冠体のコーナ部分に向けて弾性体３０が広がる余地がなくなって、弾性体に対して均一で強い押圧力を作用させることが可能となる。すなわち、封入された弾性体３０に対して、その上方側から中心側に向けて圧接力が直接作用することから、上記したような寸法のように、スパウト形状を小さくしても（小さい弾性体３０を封入しても）、抽出針を挿脱した際に、収容物が滲み出ることが防止される。
【００３７】
そして、上記した実施形態の構成では、口部１０の内周壁１０ａから底部１０ｂにかけて、被着される冠体５０の傾斜面５５と略平行となる傾斜を有する傾斜面１５を形成したことにより、冠体５０を被着した際に弾性体３０に作用する圧接力の反作用力（Ｐ２´）が効果的に生じるようになる。すなわち、弾性体３０には、効果的に中心方向に向かう均一な押圧力が作用するため、抽出針を挿脱した際の収容物の漏れがより効果的に防止される。
【００３８】
さらに、口部１０の開口縁には、被着される冠体５０の傾斜面５５が面接するように、開口端に向けて薄肉厚化するテーパ１６が形成されているため、口部と冠体との間に段部等が生じることがなくなり、押圧力が不均一になることが効果的に防止される。
【００３９】
また、冠体５０の頂部に、薄肉厚部５８を形成したことにより、冠体５０を被着した際に、弾性体３０の弾性変形によって薄肉厚部５８を変形させることから、弾性体３０に対して適切な押圧力が作用していることを目視することが可能となる。
【００４０】
なお、上記した構成において、冠体５０に形成される傾斜面５５については、図示したように、断面形状で直線状に構成されていても良いし、湾曲状に構成されていても良い。このように傾斜面を湾曲状に形成することで、その傾斜面によって作用する圧接力を、封入された弾性体３０の中心方向の略一点に集中させることが可能となり、より大きな押圧力を与えることが可能となる。また、上記した構成においては、口部１０に封入される弾性体３０は、その内部空間Ｓよりも大きく、冠体５０を被着した際に、冠体からはみ出たり、コーナ部分に広がることが無いように構成されていれば、球形に限られず、円柱状、円板状にする等、適宜変形することが可能である。
【００４１】
図７は、上記した冠体５０の変形例を示す図であり、（ａ）はその断面図、（ｂ）は図（ａ）のＢ−Ｂ線に沿った断面図、（ｃ）は係合部の始点位置と終点位置の位置関係を示す図である。
【００４２】
上記した実施形態では、冠体５０に形成される係合部５１は、所定間隔おいて突出形成される突部として構成されていたが、図７に示すように、フランジ形状にすることが可能である。具体的には、係合部は、冠体５０の内面に周方向に沿って、所定の角度（３１５°）に亘って突出形成されるフランジ６０であり、このフランジ６０の始点位置Ｆ１と終点位置Ｆ３は、軸方向にオフセットするように形成されている。すなわち、フランジ６０は、僅かにスパイラル状に冠体５０の内周面に突出形成されると共に、始点位置Ｆ１と終点位置Ｆ２との間は、フランジを形成しないよう構成されている。
【００４３】
このような形状の係合部（フランジ６０）によれば、冠体と共に型によって一体成型することが可能であると共に、冠体の口部に対する係合力を高めることが可能となる。この場合、成型に用いられる型は、回転しながら冠体の内部から抜いて行くため、フランジ６０の終端領域（２７０°〜３１５°の間）には、次第に薄肉厚となるテーパ６０ａを形成しておくことが好ましい。
【００４４】
図８及び図９は、本発明の第２の実施形態を示す図であり、図８は、スパウトの全体構成を示す斜視図、図９は、その断面図である。
【００４５】
上記した実施形態においては、冠体５０に形成される係合部５１（フランジ６０）は、冠体５０の内周面に突出形成されていたが、図に示すように、係合部５１は、外周面の下端部において外側に突出形成しても良い。また、これに伴い、スパウトの本体５の口部１０Ａの基部は、径方向に膨出するように肉厚状に形成されており、口部１０の周囲に係止部１８ａを有する円周溝１８が形成されている。そして、この円周溝１８に、冠体５０の周壁を圧入しながら、係合部５１を係止部１８ａに係止することで、冠体５０は口部１０に被着される。
【００４６】
このような構成によれば、円周溝１８の周囲に切欠きなどを形成することで、冠体５０の嵌入時に口部周辺を変形させることが可能となり、冠体５０を口部に被着し易くすることが可能となる。
【００４７】
以上、本発明の実施形態について説明したが、本発明は、上記した実施形態以外にも、例えば、以下のように種々変形することが可能である。
【００４８】
上記した口部１０によって規定される内部空間Ｓは、封入された弾性体３０を、抽出針が刺し込まれる中心方向に向けて押圧するように構成されていれば良く、その形状や弾性体３０に対する押圧方法については、適宜変形することが可能である。また、冠体５０の口部１０に対する係止構造、口部の形状等についても適宜変形することが可能である。もちろん、本発明は、上記した実施形態の寸法に限定されるものではなく、それよりも大きいスパウトにも適用することが可能である。
【図面の簡単な説明】
【００４９】
【図１】本発明に係るスパウトの第１の実施形態を示す図であり、スパウトの全体構成を示す斜視図。
【図２】本体の断面図。
【図３】本体の口部に被着される冠体を示す図であり、（ａ）は平面図、（ｂ）は図（ａ）のＡ−Ａ線に沿った断面図。
【図４】口部に弾性体を封入した状態と、弾性体を封入して冠体を被着した状態を示す断面図。
【図５】弾性体を封入する前と封入した後の形状変化を示す図。
【図６】弾性体を封入した状態のスパウトの断面図。
【図７】冠体の変形例を示す図であり、（ａ）はその断面図、（ｂ）は図（ａ）のＢ−Ｂ線に沿った断面図、（ｃ）は係合部の始点位置と終点位置の位置関係を示す図。
【図８】本発明に係るスパウトの第２の実施形態を示す図であり、スパウトの全体構成を示す斜視図。
【図９】図８に示すスパウトの断面図。
【符号の説明】
【００５０】
１  スパウト
５  本体
９  連通孔（液路）
１０  口部
３０  弾性体
５０  冠体
５５  傾斜面
５８  薄肉厚部
Ｓ  内部空間
【図１】
2006341914.tif 000003
【図２】
2006341914.tif 000004
【図３】
2006341914.tif 000005
【図４】
2006341914.tif 000006
【図５】
2006341914.tif 000007
【図６】
2006341914.tif 000008
【図７】
2006341914.tif 000009
【図８】
2006341914.tif 000010
【図９】
2006341914.tif 000011